(57)【特許請求の範囲】
【請求項１】
第１のシート状基材の上に第１の化粧料を配置すると共に、前記第１の化粧料を少なくとも覆い、一部又は全体が剥離可能であり、且つ少なくとも一部が透明な第１の被覆シートを配置して形成してある第１積層体と、
少なくとも一部が透明な第２のシート状基材の上に第２の化粧料を配置すると共に、前記第２の化粧料を少なくとも覆い、一部又は全体が剥離可能であり、且つ少なくとも一部が透明な第２の被覆シートを配置して形成してある第２積層体とを、少なくとも含み、
前記第１積層体上に前記第２積層体を重ねたときに、前記第１の化粧料と前記第２の化粧料とが、協働して所定の文字・図形を表示するように、設定配置してあることを特徴とする化粧品。
【請求項２】
少なくとも一部が透明な第３のシート状基材の上に第３の化粧料を配置すると共に、前記第３の化粧料を少なくとも覆い、一部又は全体が剥離可能であり、且つ少なくとも一部が透明な第３の被覆シートを配置して形成してある第３積層体を更に含み、
前記第２積層体上に更に前記第３積層体を重ねたときに、前記第１の化粧料、前記第２の化粧料および前記第３の化粧料が、協働して所定の文字・図形を表示するように、設定配置してある、ことを特徴とする請求項１に記載の化粧品。
【請求項３】
前記第１積層体の前記第１の被覆シートと前記第２積層体の第２のシート状基材とが一体とされ、かつ、前記第２積層体の前記第２の被覆シートと前記第３積層体の第３のシート状基材とが一体されている、ことを特徴とする請求項２に記載の化粧品。
【請求項４】
前記第２積層体の前記第２のシート状基材の上に、前記第２の化粧料と共に第３の化粧料が更に配置してあり、
前記第１積層体上に前記第２積層体を重ねたときに、前記第１の化粧料、前記第２の化粧料および前記第３の化粧料が、協働して所定の文字・図形を表示するように、設定配置してある、ことを特徴とする請求項１に記載の化粧品。
【請求項５】
前記第１積層体の前記第１の被覆シートと前記第２積層体の第２のシート状基材とが一体である、ことを特徴とする請求項４に記載の化粧品。
【請求項６】
前記第２積層体の前記第２の被覆シートには外側に突出する凸状部が設けてあり、前記凸状部の内側に第３の化粧料が更に配置され、
前記第１積層体上に前記第２積層体を重ねたときに、前記第１の化粧料、前記第２の化粧料および前記第３の化粧料が、協働して所定の文字・図形を表示するように、設定配置してある、ことを特徴とする請求項１に記載の化粧品。
【請求項７】
前記第３の化粧料が収納された前記凸状部を塞ぐ密閉シート材が、前記第２の被覆シートに剥離可能に貼着されている、ことを特徴とする請求項６に記載の化粧品。
【請求項８】
前記第１のシート状基材と前記第１の被覆シートとの間、前記第２のシート状基材と前記第２の被覆シートとの間および前記第３のシート状基材と前記第３の被覆シートとの間の内で少なくとも１つの間には、剥離可能な粘着層が周縁部に環状に配置してあり、前記シート状基材、前記被覆シートおよび前記粘着層によって囲まれた空間を密閉してある、ことを特徴とする請求項２から７のいずれかに記載の化粧品。
【請求項９】
前記第１のシート状基材と前記第１の被覆シートとの間、前記第２のシート状基材と前記第２の被覆シートとの間および前記第３のシート状基材と前記第３の被覆シートとの間の内でいずれか１つの間には、周縁部に環状配置される、接着層に固着された保護枠シートおよび前記保護枠シートに剥離可能な粘着層が形成してあり、前記シート状基材、前記被覆シートおよび前記接着層、前記保護枠シートおよび前記粘着層によって囲まれた空間を密閉してある、ことを特徴とする請求項２から７のいずれかに記載の化粧品。
【請求項１０】
前記第１の化粧料、第２の化粧料または第３の化粧料を配置するための下地処理として、当該第１の化粧料、第２の化粧料または第３の化粧料が配置される前記シート状基材の配置予定域に、接着力を高めるための粗面化処理および/または接着剤塗布処理が施されている、ことを特徴とする請求項２から９のいずれかに記載の化粧品。
【請求項１１】
前記第１の化粧料、第２の化粧料および第３の化粧料は、顔の異なる領域を化粧するための互いに異なる種類の化粧料である、ことを特徴とする請求項２から１０のいずれかに記載の化粧品。
【発明の詳細な説明】
【技術分野】
【０００１】
本発明は、ファンデーション、アイシャドー、口紅などの固形化粧料をシート状の基材（以下、シート状基材）に接着した、薄手の化粧品に関する。
【背景技術】
【０００２】
固形化粧料をシート状基材に接着した薄手の化粧品については、従来から多数の提案がなされているが、携帯性に優れた商品として販売されたり、試供品（サンプル品）として店頭で配布されたり、雑誌や郵送カタログなどに挿添されて提供されるようになっている。
例えば、本出願人による特許文献１で開示する技術は、印刷技術を流用し、基材シート表面に化粧料用に調整したスラリーを重ね印刷することによって形成した試供品について提案するものである。このような試供品は、化粧料の脱落を抑制しつつ、薄手のコンパクトを低コストにて提供できる。
ところで、化粧料の試供品は、化粧品メーカが消費者に化粧料を試してもらう為に提供される商品で、一般に無料であることが多く、試用回数は数回程度である。一方、販売されている薄手に設計された化粧品は、携帯性を重視する消費者が購入する商品である。この両商品は、薄手の外形を有する化粧品として共通している。よって、以下では、試供品を特に区別することなく、薄手の化粧品の一形態として説明することとする。
なお、本明細書で、薄手の化粧品とは、例えばその厚さが０．１ｍｍ〜１０ｍｍ程度である、従来の一般的な化粧品と比較して、相対的に薄いシート状の化粧品である。
【先行技術文献】
【特許文献】
【０００３】
【特許文献１】特開２００２−５８５２８号公報
【発明の概要】
【発明が解決しようとする課題】
【０００４】
特許文献１で提案する試供品や従来一般的な薄手の化粧品にあっては、シート状基材上に接着させてある化粧料を覆う被覆フィルム等を透明として、消費者が化粧料の色を目視により確認できる（視認性のある）ようにしてある。
ところで、多くの化粧品メーカが試供品を提供している昨今にあっては、消費者にインパクトを与えることができ、印象に残る試供品形態とすることが望まれるが、上記のように化粧料自体をそのまま提示する形態が主なものであって、消費者に訴求でき、好印象を与えることができる試供品形態については未だ十分な検討がなされていないのが実情である。
【０００５】
更に、従来にあっては、試供品は個別の化粧料、例えばファンデーションの試供品、アイシャドーの試供品、口紅の試供品のように異なる化粧料毎に独立した試供品が準備されていた。その結果として、消費者が試供品を試すのは、単一の化粧料となった。よって、化粧品メーカが例えば複数の化粧料の組合せ（ファンデーション、フェイスパウダー、アイシャドー、頬紅、口紅の好ましい組合せ）を提案したいような場合、これに適した試供品は存在していなかった。
そのため、仮に、化粧品メーカが複数の化粧料の組合せを提案する場合、個別のファンデーションの試供品、アイシャドーの試供品および口紅の試供品を消費者に提供することになり不便であった。
そして、販売されている薄手の化粧品についても、複数の化粧料を１つの基材構造（台紙や樹脂フィルムなど）内に組付けて、同時に使用するように工夫した商品形態は確認されていない。
【０００６】
本発明は化粧品、特に薄手の化粧品（試供品を含む）の実情に鑑みてなされたもので、複数の化粧料を同時に提示可能であり、消費者にインパクトを与えて、記憶に残る、訴求性の高い製品を提供することを目的とする。
【課題を解決するための手段】
【０００７】
上記目的は、第１のシート状基材の上に第１の化粧料を配置すると共に、前記第１の化粧料を少なくとも覆い、一部又は全体が剥離可能であり、且つ少なくとも一部が透明な第１の被覆シートを配置して形成してある第１積層体と、少なくとも一部が透明な第２のシート状基材の上に第２の化粧料を配置すると共に、前記第２の化粧料を少なくとも覆い、一部又は全体が剥離可能であり、且つ少なくとも一部が透明な第２の被覆シートを配置して形成してある第２積層体とを、少なくとも含み、前記第１積層体上に前記第２積層体を重ねたときに、前記第１の化粧料と前記第２の化粧料とが、協働して所定の文字・図形を表示するように、設定配置してあることを特徴とする化粧品により、達成することができる。
【０００８】
そして、少なくとも一部が透明な第３のシート状基材の上に第３の化粧料を配置すると共に、前記第３の化粧料を少なくとも覆い、一部又は全体が剥離可能であり、且つ少なくとも一部が透明な第３の被覆シートを配置して形成してある第３積層体を更に含み、前記第２積層体上に更に前記第３積層体を重ねたときに、前記第１の化粧料、前記第２の化粧料および前記第３の化粧料が、協働して所定の文字・図形を表示するように、設定配置してもよい。
【０００９】
また、前記第１積層体の前記第１の被覆シートと前記第２積層体の第２のシート状基材とが一体とされ、かつ、前記第２積層体の前記第２の被覆シートと前記第３積層体の第３のシート状基材とが一体されているものとしてもよい。
【００１０】
また、前記第２積層体の前記第２のシート状基材の上に、前記第２の化粧料と共に第３の化粧料が更に配置してあり、前記第１積層体上に前記第２積層体を重ねたときに、前記第１の化粧料、前記第２の化粧料および前記第３の化粧料が、協働して所定の文字・図形を表示するように、設定配置してもよい。
【００１１】
前記第１積層体の前記第１の被覆シートと前記第２積層体の第２のシート状基材とが一体であるものとしてもよい。
【００１２】
更に、前記第２積層体の前記第２の被覆シートには外側に突出する凸状部が設けてあり、前記凸状部の内側に第３の化粧料が更に配置され、前記第１積層体上に前記第２積層体を重ねたときに、前記第１の化粧料、前記第２の化粧料および前記第３の化粧料が、協働して所定の文字・図形を表示するように、設定配置してもよい。
【００１３】
そして、前記第３の化粧料が収納された前記凸状部を塞ぐ密閉シート材が、前記第２の被覆シートに剥離可能に貼着されているのが好ましい。
【００１４】
前記第１のシート状基材と前記第１の被覆シートとの間、前記第２のシート状基材と前記第２の被覆シートとの間および前記第３のシート状基材と前記第３の被覆シートとの間の内で少なくとも１つの間には、剥離可能な粘着層が周縁部に環状に配置してあり、前記シート状基材、前記被覆シートおよび前記粘着層によって囲まれた空間を密閉してあるのが好ましい。
【００１５】
前記第１のシート状基材と前記第１の被覆シートとの間、前記第２のシート状基材と前記第２の被覆シートとの間および前記第３のシート状基材と前記第３の被覆シートとの間の内でいずれか１つの間には、周縁部に環状配置される、接着層に固着された保護枠シートおよび前記保護枠シートに剥離可能な粘着層が形成してあり、前記シート状基材、前記被覆シートおよび前記接着層、前記保護枠シートおよび前記粘着層によって囲まれた空間を密閉してあるのが好ましい。
【００１６】
前記第１の化粧料、第２の化粧料または第３の化粧料を配置するための下地処理として、当該第１の化粧料、第２の化粧料または第３の化粧料が配置される前記シート状基材の配置予定域に、接着力を高めるための粗面化処理および/または接着剤塗布処理を施しておくのが好ましい。
【００１７】
前記第１の化粧料、第２の化粧料および第３の化粧料は、顔の異なる領域を化粧するための互いに異なる種類の化粧料とすることができる。
【発明の効果】
【００１８】
本発明によれば、異なる化粧料を同時に保持できる化粧品を提案できるので、化粧品メーカは同時に複数の化粧料を消費者に提示できる。しかも、複数の化粧料は文字・図形を表示するように設計してある。よって、例えば、複数の化粧料が協働して花、動物、景色などの図形、或いは、所定の文字などを形成するようにしておけば、消費者にインパクトを与えて、美観に訴え、記憶に残る、訴求性の高い化粧品とすることができる。
従来にあっては、化粧品が試供品である場合、個別の試供品を複数消費者に渡すことになっていたので化粧品メーカは宣伝の為の試供品コストが嵩み、消費者にあっては試供品が嵩張ることになったが、このような不都合が一気に解消される。
【図面の簡単な説明】
【００１９】
【図１】本発明の一実施形態に係る化粧品の基本構成を説明するための図である。
【図２】本発明の化粧品に係る実施例１の層構成を確認できるように示した図である。
【図３】本発明の化粧品に係る実施例２の層構成を確認できるように示した図である。
【図４】本発明の化粧品に係る実施例３の層構成を確認できるように示した図である。
【発明を実施するための形態】
【００２０】
以下、本発明の実施の形態を、図を参照して詳細に説明する。
図１は、本発明の一実施形態に係る化粧品の基本構成を説明するための図である。ここでは、一例として、第１積層体１０、第２積層体２０および第３積層体３０から成る化粧品１について説明する。
図１中で、（ａ）は化粧品の最下層となる第１積層体１０について示した図、（ｂ）は第１積層体１０の上に積層配置される第２積層体２０について示した図、更に（ｃ）は第２積層体２０の上に積層配置される第３積層体３０について示した図である。
そして、（ｄ）は第１積層体１０から第３積層体３０までの全てを積み重ねて形成された、本発明に係る化粧料試供品１を示している図である。
【００２１】
図１（ａ）で、第１積層体１０は第１のシート状基材１１の上に第１の化粧料１２が配置されている。化粧料を覆うようにして上面から第１の被覆シート１３が配置されている。ここで例示している第１のシート状基材１１は矩形（長方形）であり、これよりも小さい矩形領域に第１の化粧料１２が配置されている。そして、第１のシート状基材１１と略同じ形状の第１の被覆シート１３が上面全体を覆うように配置される。なお、ここでの実施の形態説明では、第１のシート状基材１１に対して、第１の被覆シート１３も同等の大きさに設計した場合を一例として説明する。ただし、第１の被覆シート１３は、第１の化粧料１２を少なくとも覆うことが可能であればよく、第１のシート状基材１１よりも小さい形状としてもよい。
更に、第１の被覆シート１３は、第１のシート状基材１１に対して、その一部が剥離可能であってもよいし（すなわち、第１の被覆シート１３の一部が第１のシート状基材１１に接着維持されている形態でもよいし）、その全体が剥離可能であってもよい（すなわち、第１の被覆シート１３が第１のシート状基材１１から完全に剥がされ分離可能な形態でもよい）。
なお、上述した第１のシート状基材１１と第１の被覆シート１３との関係は、特に説明を加えない限り、後述する第２のシート状基材２１と第２の被覆シート２３との関係及び第３のシート状基材３１と第３の被覆シート３３との関係についても同様である。
【００２２】
ここで、第１のシート状基材１１は透明なものでも、不透明なものでもよい。また、透明な樹脂フィルムを採用して、その背面に印刷したり、紙製の台紙などを添付したりして不透明化してもよい。
【００２３】
上記シート状基材１１上に配置される第１の化粧料１２は、例えばファンデーションとすることができる。ファンデーションは主体が紛体でありシート状基材１１との相性にもよるが接着性に劣り、脱落し易い（剥がれ易い）場合がある。このような場合の対処として、シート状基材１１上に接着力を高めるための下地処理を施しておくのが好ましい。図１（ａ）では第１の化粧料１２を配置するための領域或いはこれより僅かに大きな領域（配置予定域１４）に下地処理を施すことができる。下地処理は化粧料１２のシート状基材１１への接着力を高めるための表面の粗面化処理または接着剤塗布処理とすることができ、この両方の処理を行ってもよい。
【００２４】
シート状基材１１への粗面化処理としては、例えばサンドブラスト加工やエンボス加工が挙げられ、シート状基材１１の表面粗さは中心線平均粗さ１〜１０μｍ（ＪＩＳ  Ｂ０６０１に記載の方法に準じて測定）であることが望ましい。
また、シート状基材１１に塗布する接着剤は、化粧料をシート状基材に塗布する際に化粧料を分散する溶剤により接着性を発現するものが用いられる。接着剤は、化粧料の分散に用いられる溶剤に応じて選択可能であるが、例えば溶剤としてエタノール、イソプロピルアルコールなどの低級アルコールを用いる場合は、アクリル樹脂、ウレタン樹脂、ポリ酢酸ビニル、エチルセルロース、ポリビニルピロリドンが挙げられる。
【００２５】
そして、上記第１の被覆シート１３は全面透明なシートを採用してもよいが、少なくとも一部が透明であればよい。被覆シート１３は、後述する所定の形状が描かれる領域が少なくとも透明であればよく、それ以外の領域（ここでの例示的な説明では周縁部領域）は透明である必要はないからである。一部が透明である被覆シート１３の製造法については後述する。
なお、透明部で要求される透明性は、第１積層体１０で第１のシート状基材１１上の第１の化粧料（ファンデーション）１２の色が、消費者によって明確に視認できる程度とされる。
【００２６】
図１（ｂ）で、第２積層体２０は第２のシート状基材２１の上に第２の化粧料２２が配置されている。化粧料を覆うようにして上面から第２の被覆シート２３が配置されている。第２のシート状基材２１も第１のシート状基材１１と同じ形状、大きさとしてある。第２のシート状基材２１上の第２の化粧料２２は所定の形状を描くようにして配置されている。そして、第２のシート状基材２１と略同じ形状の第２の被覆シート２３がその上面全体を覆うように配置されている。
【００２７】
ここで、第２のシート状基材２１についても樹脂フィルムを採用することができる。ただし、この第２のシート状基材２１についても少なくとも一部が透明なものとされる。第２のシート状基材２１は、後述する所定の形状が描かれる領域が少なくとも透明であればよく、それ以外の領域（ここでの例示的な説明では周縁部領域）は透明である必要はないからである。一部が透明である第２のシート状基材２１の製造法については後述する。ここで要求される透明性は、図１（ａ）の第１積層体１０上に第２積層体２０を重ねて配置したときに、第１の化粧料（ファンデーション）１２の色（例えば、肌色）を明確に視認できる程度とされる。
【００２８】
そして、第２積層体２０の透明な第２のシート状基材２１上に配置される第２の化粧料２２は、例えばアイシャドーであり、緑色系の色である。図１（ｂ）に示すように、花のチューリップＦの一部である葉・茎部を描くようにして配置されている。
上記第２の被覆シート２３は第１の被覆シート１３と同様に少なくとも一部が透明である。ここでは、第１積層体１０上に第２積層体２０を重ね合せたときに、第１のシート状基材１１上の第１の化粧料（ファンデーション）１２が背景となり、第２の化粧料２２の葉・茎部が前面側に重なる配置となる。
なお、第２の化粧料２２をアイシャドーとする場合、第２のシート状基材２１についても第１のシート状基材１１の場合と同様に化粧料を付ける領域を下地処理しておくのが好ましい。
【００２９】
図１（ｃ）で、第３積層体３０は第３のシート状基材３１の上に第３の化粧料３２が配置されている。化粧料を覆うようにして上面から第３の被覆シート３３が配置されている。第３のシート状基材３１も第１のシート状基材１１、第２のシート状基材２１と同じ形状、大きさである。第３のシート状基材３１上の第３の化粧料３２は、第２の化粧料２２とは異なる所定の形状を描くようにして配置されている。そして、第３のシート状基材３１と略同じ形状の第２の被覆シート３３がその上面全体を覆うように配置されている。
【００３０】
ここで、第３のシート状基材３１についても樹脂フィルムを採用することができる。ただし、この第３のシート状基材３１についても、第２のシート状基材２１と同様に少なくとも一部が透明なものとされる。ここで要求される透明性は、図１（ａ）の第１積層体１０上に第２積層体２０を重ね、更に第３積層体３０を重ね配置したときに、第１の化粧料（ファンデーション）１２及び第２の化粧料（アイシャドー）２２の両方の色（肌色、緑色）を明確に視認できる程度とされる。
【００３１】
そして、第３積層体３０の透明な第３のシート状基材３１上に配置される第３の化粧料３２は、例えば口紅とすることができる。例示している場合、赤色系の口紅であり、図１（ｃ）に示すように、赤い花のチューリップＦの一部である花本体部を描くように配置されている。
上記第３の被覆シート３３は、第２の被覆シート２３および第１の被覆シート１３と同様に少なくとも一部が透明である。
ここでは、第１積層体１０上に第２積層体２０、更に第３積層体３０を重ね合せたときに、第１のシート状基材１１上の第１の化粧料（ファンデーション）１２が背景となり、第２の化粧料２２の葉・茎部がその前面側に重なり、更にその前面側に第３の化粧料３２の花本体部が重なることになる。第２の化粧料２２と第３の化粧料３２とは協働して、一定形状の赤い花のチューリップＦの形を形成（表示）するように、互いの位置が予め設定されている。
【００３２】
図１（ｄ）は、上記図１（ａ）の第１積層体１０、図１（ｂ）の第２積層体２０、そして図１（ｃ）の第３積層体３０を全て重ねて形成した本発明に係る化粧品１である。化粧品１は、消費者の記憶に残る、或いは美観に訴えることができる、赤い花のチューリップＦを表示した化粧品となる。化粧品メーカは、自社お勧めの化粧料の組合せ（顔の異なる領域を化粧するための互いに異なる種類の化粧料のセット）がある場合に、本発明に係る１つの化粧品１を用いて、消費者に訴求することができ、しかもコストも大幅に抑制できる。
【００３３】
上記で説明した、ベースとなる第１積層体１０の第１のシート状基材１１としてはポリエステルフィルム、ポリエチレンフィルム、ポリプロピレンフィルム、ポリカーボネートフィルムを採用することができるが、化粧料に含まれる油分に対する安定性の面からポリエステルフィルムが好適である。コート紙のように溶剤が浸透しやすい基材を用いると溶剤の浸透とともに化粧料中の油分も基材に移行し易くなり、化粧料の品質変化が生じるおそれがあり好ましくない。ポリエステルフィルムは着色或いは白化処理を施して隠蔽性を備えたものでもよいし、透明であってものでもよい。また、透明な第１のシート状基材１１の背面側に印刷したり、不透明な台紙を貼着したりしてもよい。
上記第１のシート状基材１１に対して、第２、第３のシート状基材２１、３１は十分な透明性を備えたものであり、サーチユニットを反射型から透過型に変更したデンシトメーター  MODEL TC-6MC  （有限会社  東京電色）を用いて測定した透明度が７５％以上、好ましくは８５％以上であることが望ましい。
前述したように、第１積層体１０上に、第２の積層体２０そして第３の積層体３０を重ねたときに、消費者が各化粧料の本来の色を視認できる程度の透明が要求される。これら第２、第３のシート状基材２１、３１についてもポリエステルフィルム、ポリエチレンフィルム、ポリプロピレンフィルム、ポリカーボネートフィルムを採用することができるが、化粧料に含まれる油分に対する安定性の面からポリエステルフィルムが好適である。
上記第１、第２、第３のシート状基材１１、２１、３１の厚さは、例えば２０〜１０００μｍであり、設計した化粧品に応じて、適宜に定めればよい。
【００３４】
また、第１〜第３の全ての被覆シート１３〜３３についても、第２、第３のシート状基材２１、３１と、同様の理由で透明性が要求され、サーチユニットを反射型から透過型に変更したデンシトメーター  MODEL TC-6MC（有限会社  東京電色）を用いて測定した透明度が７５％以上、好ましくは８５％以上であることが望ましい。これら被覆シート１３〜３３についてもポリエステルフィルム、ポリエチレンフィルム、ポリプロピレンフィルム、ポリカーボネートフィルムを採用することができ、厚さは例えば２０〜１０００μｍとすることができる。
なお、前述した一部が透明である被覆シートおよびシート状基材は、透明なフィルムの不透明化する部分に印刷を施したり、ラベルを貼り合せたりするという工程により製造することができる。
【００３５】
図１（ｄ）に示す化粧料試供品１は、上記図１（ａ）〜（ｃ）で説明した第１積層体１０上に、第２積層体２０、第３積層体３０を位置合わせをして重ね、例えば１つの縁部（一辺）で全ての構成を糊付けして本やノートのように見開く（捲る）ことができるように組み付けた構造とする。これにより、化粧料試供品１を受け取った消費者は目で赤い花のチューリップＦをたのしみ、そして適宜にシートを捲って自分が試みたい化粧料を試用することができる。
【００３６】
以下、更に、化粧品１に採用できる好ましい実施例について説明する。
（実施例１）
図２は、本発明の化粧品に係る実施例１の層構成を確認できるように示した図である。なお、この図２では、図１と同じ部位には、同じ符号を付している。以下の図も同様である。
この図２では、図１で説明を省略していた、隣接するシート状基材と被覆シート（シート状基材と一体となるものがあり、この場合の被覆シートはシート状基材を基準とした形状、大きさとなる）との間に配置されて、この両者を接着する粘着層も図示してある。剥離可能な粘着剤が周縁部に環状に配置してあり、前記シート状基材、前記被覆シートおよび粘着層によって囲まれた空間は密閉されている。この空間内に化粧料が保持される。
【００３７】
実施例１で示す形態例は前述した第１積層体１０、第２の積層体２０そして第３の積層体３０が一体化された形態である。
そのため、第１積層体１０の第１の被覆シート１３と第２積層体２０の第２のシート状基材２１とが一体となっている（ここでは、第１の被覆シート１３と称する）。更に、第２積層体２０の第２の被覆シート２３と第３積層体３０の第３のシート状基材３１とが一体となっている（ここでは、第２の被覆シート２３と称する）。このような構成により、図２に示す一体型の化粧品１Ａとなる。
なお、シート状基材１１は、厚さ２５０μmの白色不透明なポリエステルフィルム、第１の被覆シート１３、第２の被覆シート２３は、厚さ１００μm、透明度９２％のポリエステルフィルム、第３の被覆シート３３は厚さ５０μm、透明度９３％のポリエステルフィルムである。
【００３８】
化粧品１Ａは従来の印刷技術等を流用して製造することができる。例えば、上記シート状基材１１上に、スクリーン印刷を用いて、第１の化粧料１２を所定位置に配置（印刷）する。具体的には、第１の化粧料１２を揮発性用溶剤に分散した印刷用のスラリーに調整し、シート状基材１１上の予定位置に印刷をする。化粧料をスラリー化するために混合される揮発性用溶剤は、公知のものがいずれも使用でき、例えば、エチルアルコール、イソプロピルアルコール等の低級アルコール、低沸点炭化水素、低沸点シリコーン油、環状シリコーン、水、あるいはこれらの混合物が挙げられる。混合する比率は化粧料の構成や印刷条件に応じて適宜調整される。
第１の化粧料１２が脱落（剥離）し易い場合には、前述した下地処理をシート状基材１１上に施しておくのが望ましい。
【００３９】
図２に示す一体の積層構造を形成するのに際し、第１積層体１０の上に順次に各構成部を積み上げながら製造することも考えられるが、第１積層体１０、第２積層体２０、第３積層体３０の主要部を個別に作成しておき、最後に全体を重ね合せるのが好ましい。
この場合、例えば、第１積層体１０は第１のシート状基材１１と第１の化粧料１２までとし、第２積層体２０は第２のシート状基材２１（第１の被覆シート１３）と第２の化粧料２２までとする。ただし、第１の被覆シート１３の下面には周縁部に環状に予め粘着層１５を配置しておき、剥離テープで粘着層１５を覆った状態を形成しておく。そして、第１積層体１０上に第２積層体２０を接着するときに、剥離テープを剥がして粘着層１５を第１のシート状基材１１上に接着する。
これにより、第１のシート状基材１１、第１の被覆シート１３および粘着層１５によって囲まれた空間が形成され、その内部が密閉される。この内部に第１の化粧料１２を保持、収納できるので、無用な接触から保護し、乾燥を予防できる。
【００４０】
そして、第３積層体３０は第３のシート状基材３１（第２の被覆シート２３）と第３の化粧料３２そして第３の被覆シート３３とする。第２の被覆シート２３と第３の被覆シート３３との間は周縁部に環状に配置した粘着層３５で接着されている。これにより、第２の被覆シート２３、第３の被覆シート３３および粘着層３５によって囲まれた空間が形成され、その内部が密閉される。この内部に第３の化粧料３２を保持、収納できる。
ここでも、第２の被覆シート２３の下面には予め粘着層２５を配置して置き、剥離テープで粘着層２５を覆った状態を形成しておく。そして、第２積層体２０上に第３積層体３０を接着するときに、剥離テープを剥がして粘着層２５を第１の被覆シート１３上に接着させる。
これにより、第１の被覆シート１３、第２の被覆シート２３および粘着層２５によって囲まれた空間が形成され、その内部が密閉される。この内部に第２の化粧料２２を保持、収納される。
以上のような工程で、図２に示す化粧品１Ａを製造することができる。
【００４１】
（実施例２）
図３は、本発明の化粧品に係る実施例２の層構成を確認できるように示した図である。
この図３で示す例は、第１積層体１０と第２積層体２０とを個別に作製しており、第２積層体２０に異なる第２の化粧料２２と第３の化粧料３２とを一緒に収納した場合の例である。
なお、シート状基材１１、シート状基材２１は、厚さ２５０μm、透明度９１％のポリエステルフィルム、被覆シート１３、被覆シート２３は厚さ５０μm、透明度９３％のポリエステルフィルムである。
この場合にも、第１積層体１０と第２積層体２０とを重ねた場合には、図１（ｄ）と同様の赤い花のチューリップＦが形成される。図３は第２の化粧料２２と第３の化粧料３２とを離間させて配置してあるが、化粧料の相性や化粧料の使用の仕方によって接触配置としてもよいし、離間配置としてもよい。
また、図３は、第１積層体１０と第２積層体２０とを離して図示しているが、図１で説明した場合と同様に、第１積層体１０と第２積層体２０とを重ね、何れかの一辺に接着剤を塗布して本やノートの様に見開き構造として、１つの化粧品１Ｂとしてもよい。
【００４２】
ところで、この実施例２の化粧品１Ｂでは、第１積層体１０および第２積層体２０は、シート状基材と被覆シートの間に保護枠シート（スペーサ）を介在させた場合の構造を例示している。
図３では第１積層体１０の第１シート状基材１１上に接着層１６を介して保護枠シート１７が固着され、この保護枠シート１７の上に粘着層１５を介して第１の被覆シート１３が剥離可能に接着されている。
上記粘着層１５および接着層１６は第１シート状基材１１の周縁部に環状に配置してある。保護枠シート１７もこれら粘着層１５、接着層１６の配置領域に応じた環形状をなしている枠体である。保護枠シート１７として、前記シート状基材や被覆シートなどより剛性が高い紙や樹脂シートを用いると、フレーム骨格が確りとした化粧料試供品１Ｂとすることができる。また、図３で確認できるように、化粧料１２を保持する密閉した空間の容積を調整するスペーサとしても機能する。収納する化粧料の量に応じて容積の変更をすることができる。図３は、第２積層体２０も保護枠シート２７を備えた構造に形成した場合を例示している。
【００４３】
上記のような保護枠シートは、図２で示した一体型の化粧品１Ａにも同様に適用することが可能である。すなわち、必要に応じて、化粧品１Ａの隣接するシート状基材と被覆シート（シート状基材と一体となるものを含む）の間に保護枠シートを配置してもよい。
また、口紅やコンシーラーのように油剤成分を多く含む化粧料の場合は、化粧料が被覆シートと接触すると、化粧料と被覆シートが貼り付いてしまい美観を損ねるので、保護枠シートを配置して化粧料と被覆シートが非接触の状態を維持するのが望ましいが、被覆シートと接触しても問題のない化粧料もある。
なお、図示は省略するが、化粧品１Ｂの一部を変更して図２による化粧品１Ａと同様に、第１の被覆シート１３と第２のシート状基材２１とを一体として、一体型の化粧品に構成することも可能である。
【００４４】
（実施例３）
図４は、本発明の化粧品に係る実施例３の層構成を確認できるように示した図である。
なお、シート状基材１１、第１の被覆シート１３は、厚さ１００μm、透明度９２％のポリエステルフィルム、第２の被覆シート２３は厚さ５００μm、透明度９１％のポリエステルフィルムを真空成型して凸状部２３Ｐを設けたものである。
この図４で示す実施例３は、上記実施例１、２の特徴点を一部に含んでいる。すなわち、実施例３の化粧料試供品１Ｃは第１積層体１０と第２積層体２０とを一体とした構造である。そして、第２の積層体２０内に異なる第２の化粧料２２と第３の化粧料３２とを含んでいる。
ただし、化粧料試供品１Ｃでは、第２の積層体２０の第２の被覆シート２３が外側に突出する凸状部２３Ｐが設けてあり、前記凸状部の内側に第３の化粧料３２が配置されている。
前記凸状部の内側に化粧料を充填する方法としては、化粧料を溶剤に分散したスラリーを定量吐出装置で所望の量を充填した後、熱処理等で前記溶剤を除去する方法が挙げられる。
また、口紅やコンシーラーのように油剤成分を多く含む化粧料の場合は、化粧料を加熱溶融して定量吐出装置で充填した後、冷却して固化することも可能である。
第１の化粧料１２、第２の化粧料２２および第３の化粧料３２が協働して図１（ｄ）の図形、赤い花のチューリップＦを形成するように設定配置してある点は、前述した構成と同じであるが、花本体部を表示している第３の化粧料３２が外側に突出して立体的な絵となる。よって、消費者へのインパクトを更に高めることができる。
【００４５】
ただし、図４の上記第３の化粧料３２は凸状部２３Ｐ内にぶら下がり状態で保持されるので、落下を防止する対処をしておくのが好ましい。よって、第３の化粧料３２が収納された凸状部２３Ｐを塞ぐ密閉シート材２９が、前記第２の被覆シート２３に剥離可能に貼着されている。
【００４６】
以上で説明した実施例１Ａ〜１Ｃによれば、消費者は目で赤い花のチューリップＦをたのしみ、そして適宜にシートを捲って自分が試みたい化粧料を試用することができるので、インパクトがあり、記憶に残る、訴求性の高い化粧品として提供できる。
そして、化粧品メーカは消費者に異なる化粧料を１つの試供品で提供できるので従来と比較して宣伝コストを抑制でき、お勧めの化粧料の組合せを簡単に消費者に提案できる。また、本発明に係る化粧品を、化粧品メーカは試供品だけとしてではなく、薄手の化粧品と販売してもよいのは勿論のことであり、この場合も同様の効果を期待できる。
【００４７】
以上で実施形態の説明を終えるが、本発明は上記実施形態に限定されるものではなく、その要旨を逸脱しない範囲で種々変更して実施することができることは言うまでもない。
前述した図１による化粧料試供品１は３つの積層体で形成される場合について説明したが、図３の実施例２のように、本発明は少なくとも２つの積層体から化粧品である。図３では第２積層体２０内に２つの化粧料２２、３２を配置した例を示したが、１つの化粧料２２だけでもよい。この場合、第１積層体１０の化粧料１２と第２積層体２０の化粧料２２とが協働して、所定の文字・図形を描けばよい。
また、上記とは逆に、上記実施形態で一例として、第１〜第３の積層体を含む場合について説明したが、更に第４、第５の積層体を含む化粧品が、本願発明の範疇に入ることは言うまでもない。
【００４８】
さらに、上記実施例２では第２、第３の化粧料を同時に第２積層体２０に収納する場合を一例として説明したが、更に、第４、第５の化粧料、すなわち、３以上の化粧料を同時に１つの積層体内に収納する形態を採用しても勿論よい。
また、前述した例では、シート状基材およびこれに積層される構造を矩形としたが、これに限る必要はない、例えば丸、楕円、三角、星形、花弁形状などに適宜に変更して、消費者により訴求し易い形状としてもよい。これに伴って、周縁部に配置される粘着層や保護枠シートも同様に配置位置を変更すればよい。シート状基材が単純な矩形であるときは粘着層等も矩形に近い環状となるが、シート状基材が三角、星形となったときにはその形状の周縁部を繋ぐ形状も同様に複雑な環状となる。
【符号の説明】
【００４９】
１（１Ａ、１Ｂ、１Ｃ）  化粧品
１０                    第１積層体
１１                    第１のシート状基材
１２                    第１の化粧料
１３                    第１の被覆シート
１４                    配置予定域
１５                    粘着層
１７                    保護枠シート
２０                    第２積層体
２１                    第２のシート状基材
２２                    第２の化粧料
２３                    第２の被覆シート
２３Ｐ                  凸状部
２５                    粘着層
２７                    保護枠シート
２９                    密閉シート材
３０                    第３積層体
３１                    第３のシート状基材
３２                    第３の化粧料
３３                    第３の被覆シート
３５                    粘着層
【図１】
0006618294.tif 000002
【図２】
0006618294.tif 000003
【図３】
0006618294.tif 000004
【図４】
0006618294.tif 000005